【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
電子帳票を管理する電子帳票サーバと、前記電子帳票サーバとネットワークを介して通信可能な情報処理装置とを具備する電子帳票システムであって、
前記情報処理装置は、
表示した電子帳票において指定された位置を特定する特定手段と、
前記特定手段で特定された位置に対応する文字情報を抽出する抽出手段と、
前記抽出手段で抽出した文字情報と、前記電子帳票の電子帳票識別情報とを前記電子帳票サーバに送信する送信手段と
を具備し、
前記電子帳票サーバは、
電子帳票を保存する保存手段と、
前記情報処理装置より文字情報と、電子帳票識別情報とを受信する受信手段と、
前記電子帳票識別情報に係る電子帳票の登録日付に関する情報を取得する取得手段と、
前記文字情報と、登録日付に関する情報とに基づき前記電子帳票を検索する検索手段と、
前記検索手段で検索した電子帳票を前記情報処理装置に送信する送信手段と
を具備することを特徴とする電子帳票システム。
【請求項２】
前記取得手段で取得する登録日付に関する情報は、前記受信手段で受信する情報または前記保存手段で保存する電子帳票から取得する情報であることを特徴とする請求項１に記載の電子帳票システム。
【請求項３】
前記保存手段で保存する電子帳票は、電子帳票のフォームに係るフォーム情報と、電子帳票の文字に係る文字情報と、電子帳票の文字の配置に係る文字配置情報とを少なくとも含むことを特徴とする請求項１または２に記載の電子帳票システム。
【請求項４】
前記抽出手段は、前記特定手段が特定した前記位置と重なる一連の文字列を抽出することを特徴とする請求項１乃至３のいずれか１項に記載の電子帳票システム。
【請求項５】
前記抽出手段は、前記特定手段が特定した前記位置と重なる一行分の文字列を抽出することを特徴とする請求項１乃至３のいずれか１項に記載の電子帳票システム。
【請求項６】
前記情報処理装置は、
前記検索手段で検索された電子帳票を前記電子帳票サーバから受信する受信手段と、
前記受信手段が受信した電子帳票を表示する表示手段と、
前記表示手段に表示する電子帳票において前記文字列に対応する部位を強調表示する強調表示手段と
を更に具備することを特徴とする請求項１乃至５のいずれか１項に記載の電子帳票システム。
【請求項７】
前記強調表示手段は、前記電子帳票において前記文字列に対応する部位を含む行又は列を強調表示させることを特徴とする請求項６に記載の電子帳票システム。
【請求項８】
前記検索手段は、前記電子帳票識別情報に係る電子帳票が日次帳票の場合、前記電子帳票の登録日付に係る月の次の月の月次帳票から前記文字情報に対応する文字データを含む月次帳票を検索することを特徴とする請求項１乃至７のいずれか１項に記載の電子帳票システム。
【請求項９】
前記検索手段は、前記電子帳票識別情報に係る電子帳票が月次帳票の場合、前記電子帳票の登録日付に係る月の前の月の日次帳票から前記文字情報に対応する文字データを含む日次帳票を検索することを特徴とする請求項１乃至７のいずれか１項に記載の電子帳票システム。
【請求項１０】
電子帳票を表示可能な情報処理装置とネットワークを介して通信可能な電子帳票サーバであって、
電子帳票を保存する保存手段と、
前記情報処理装置で表示された電子帳票において指定された位置情報と、前記電子帳票の電子帳票識別情報とを受信する受信手段と、
前記受信手段で受信した位置情報と、電子帳票識別情報とに基づき文字情報を抽出する抽出手段と、
前記電子帳票識別情報に係る電子帳票の登録日付に関する情報を取得する取得手段と、
前記抽出手段で抽出した文字情報と、前記取得手段で取得した電子帳票識別情報に係る電子帳票の登録日付に関する情報とに基づき前記保存手段で保存する電子帳票を検索する検索手段と、
前記検索手段で検索した電子帳票を前記情報処理装置に送信する送信手段と
を具備することを特徴とする電子帳票サーバ。
【請求項１１】
電子帳票を表示可能な情報処理装置とネットワークを介して通信可能な電子帳票サーバであって、
電子帳票を保存する保存手段と、
前記情報処理装置で表示された電子帳票において指定された位置情報からか抽出された文字情報と、前記電子帳票の電子帳票識別情報とを受信する受信手段と、
前記電子帳票識別情報に係る電子帳票の登録日付に関する情報を取得する取得手段と、
前記受信手段で受信した文字情報と、前記取得手段で取得した電子帳票識別情報に係る電子帳票の登録日付に関する情報とに基づき前記保存手段で保存する電子帳票を検索する検索手段と、
前記検索手段で検索した電子帳票を前記情報処理装置に送信する送信手段と
を具備することを特徴とする電子帳票サーバ。
【請求項１２】
前記取得手段で取得する登録日付に関する情報は、前記受信手段で受信する情報または前記保存手段で保存する電子帳票から取得する情報であることを特徴とする請求項１０または１１に記載の電子帳票サーバ。
【請求項１３】
前記検索手段は、前記電子帳票識別情報に係る電子帳票が日次帳票の場合、前記電子帳票の登録日付に係る月の次の月の月次帳票から前記文字情報に対応する文字データを含む月次帳票を検索することを特徴とする請求項１０乃至１２のいずれか１項に記載の電子帳票サーバ。
【請求項１４】
前記検索手段は、前記電子帳票識別情報に係る電子帳票が月次帳票の場合、前記電子帳票の登録日付に係る月の前の月の日次帳票から前記文字情報に対応する文字データを含む日次帳票を検索することを特徴とする請求項１０乃至１２のいずれか１項に記載の電子帳票サーバ。
【請求項１５】
電子帳票を表示可能な情報処理装置とネットワークを介して通信可能な電子帳票サーバにおける電子帳票検索方法であって、
前記情報処理装置で表示された電子帳票において指定された位置情報と、前記電子帳票の電子帳票識別情報とを受信する受信工程と、
前記受信工程で受信した位置情報と、電子帳票識別情報とに基づき文字情報を抽出する抽出工程と、
前記電子帳票識別情報に係る電子帳票の登録日付に関する情報を取得する取得工程と、
前記抽出工程で抽出した文字情報と、前記取得工程で取得した電子帳票識別情報に係る電子帳票の登録日付に関する情報とに基づき保存手段で保存する電子帳票から前記電子帳票識別情報に係る電子帳票の帳票属性に対応する帳票属性の電子帳票を検索する検索工程と、
前記検索工程で検索した電子帳票を前記情報処理装置に送信する送信工程と
を具備することを特徴とする電子帳票検索方法。
【請求項１６】
電子帳票を表示可能な情報処理装置とネットワークを介して通信可能な電子帳票サーバにおける電子帳票検索方法であって、
前記情報処理装置で表示された電子帳票において指定された位置情報からか抽出された文字情報と、前記電子帳票の電子帳票識別情報とを受信する受信工程と、
前記電子帳票識別情報に係る電子帳票の登録日付に関する情報を取得する取得工程と、
前記受信工程で受信した文字情報と、前記取得工程で取得した電子帳票識別情報に係る電子帳票の登録日付に関する情報とに基づき保存手段で保存する電子帳票から前記電子帳票識別情報に係る電子帳票の帳票属性に対応する帳票属性の電子帳票を検索する検索工程と、
前記検索工程で検索した電子帳票を前記情報処理装置に送信する送信工程と
を具備することを特徴とする電子帳票検索方法。
【請求項１７】
請求項１５または１６に記載の電子帳票検索方法をコンピュータに実行させることを特徴とするプログラム。
【手続補正２】
【補正対象書類名】明細書
【補正対象項目名】発明の名称
【補正方法】変更
【補正の内容】
【発明の名称】電子帳票システム、電子帳票サーバ、電子帳票検索方法およびプログラム
【手続補正３】
【補正対象書類名】明細書
【補正対象項目名】０００１
【補正方法】変更
【補正の内容】
【０００１】
本発明は、電子帳票システム、電子帳票サーバ、電子帳票検索方法およびプログラムに関する。
【手続補正４】
【補正対象書類名】明細書
【補正対象項目名】０００８
【補正方法】変更
【補正の内容】
【０００８】
本発明は、上述した事情を考慮してなされたもので、関連する帳票データ群において相互に参照可能な帳票の閲覧環境を提供することを目的とする。
【手続補正５】
【補正対象書類名】明細書
【補正対象項目名】０００９
【補正方法】変更
【補正の内容】
【０００９】
本発明は、電子帳票を管理する電子帳票サーバと、前記電子帳票サーバとネットワークを介して通信可能な情報処理装置とを具備する電子帳票システムであって、前記情報処理装置は、表示した電子帳票において指定された位置を特定する特定手段と、前記特定手段で特定された位置に対応する文字情報を抽出する抽出手段と、前記抽出手段で抽出した文字情報と、前記電子帳票の電子帳票識別情報とを前記電子帳票サーバに送信する送信手段とを具備し、前記電子帳票サーバは、電子帳票を保存する保存手段と、前記情報処理装置より文字情報と、電子帳票識別情報とを受信する受信手段と、前記電子帳票識別情報に係る電子帳票の登録日付に関する情報を取得する取得手段と、前記文字情報と、登録日付に関する情報とに基づき前記電子帳票を検索する検索手段と、前記検索手段で検索した電子帳票を前記情報処理装置に送信する送信手段とを具備することを特徴とする。
【手続補正６】
【補正対象書類名】明細書
【補正対象項目名】００１０
【補正方法】変更
【補正の内容】
【００１０】
係る構成とすることにより、関連する帳票データ群において相互に参照可能な帳票の閲覧環境を提供することができる。
【手続補正７】
【補正対象書類名】明細書
【補正対象項目名】００１１
【補正方法】変更
【補正の内容】
【００１１】
また、本発明は、電子帳票サーバ、電子帳票検索方法およびプログラムとしてもよい。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明によれば、関連する帳票データ群において相互に参照可能な帳票の閲覧環境を提供することができる。
【手続補正１１】
【補正対象書類名】明細書
【補正対象項目名】００５４
【補正方法】変更
【補正の内容】
【００５４】
尚、検索ヒット行１２０２を強調表示する方法は、上述したようにハイライトする方法に限定されるものではなく、文字を別の色に変えて表示してもよいし、検索ヒット行以外の行を別の色に変えるよう強調表示しても良い。また、本実施形態では行単位で強調表示するように構成したが、列単位で強調表示するように構成しても良いし、部分的なエリアを強調表示してもよい。列単位で強調表示する際には、クライアント端末１０４は、強調表示する列の各行の位置を帳票テキスト配置情報７０４から割り出しハイライトさせる範囲を決定し、ハイライト表示する。これにより、ユーザが電子帳票上で指定した個所に対応する電子帳票の個所を強調表示することができる。
【手続補正１２】
【補正対象書類名】明細書
【補正対象項目名】００５８
【補正方法】変更
【補正の内容】
【００５８】
以上に説明したように、本実施形態における電子帳票システムにおいては、ホストコンピュータ１０１から出力される印刷ストリームを順次電子帳票として登録した、データ相互間の関連情報を持たない帳票データであっても、文字列を基に検索することができるので、上位階層から下位階層、また、下位階層から上位階層への相互参照が可能となる。また、関連情報を持たない帳票データに対しては電子化する際に関連付けが行なえる。また、ユーザが指定した個所を強調表示することでユーザが指定した個所を一目でわかることができる。また、本実施形態により、関連する帳票データ群において相互に参照可能な帳票の閲覧環境を提供する際に、参照元の帳票で注目していたデータに対応する参照先の帳票のデータをより分かりやすく表示することができる。